(57)【要約】【課題】  患者の診療歴を容易に把握することができる電子カルテシステム、電子カルテサーバ、電子カルテ表示方法およびプログラムを提供する。【解決手段】  電子カルテサーバ１００からの情報に基づいて、ＷＥＢクライアント１３０は、人生マップ画面１３２の表示において、その表示を選択することにより電子カルテ画面１３１において詳細表示がなされる。【選択図】  図１
2006251901.tif 000002
【特許請求の範囲】
【請求項１】
ネットワークを介して接続されている患者履歴を掲載する電子カルテサーバと、そのデータを利用するクライアントと、を含む電子カルテシステムであって、
前記クライアントは、人生マップ画面の表示において、その表示を選択することにより電子カルテ画面において詳細表示がなされることを特徴とする電子カルテシステム。
【請求項２】
前記電子カルテサーバは、複数のクライアントからの患者履歴情報の登録を行ない、その登録情報を、人生マップデータとして同一患者別に病院、科および日時のうちの少なくとも１つとともに記録することを特徴とする請求項１記載の電子カルテシステム。
【請求項３】
複数のクライアントからの患者履歴情報の登録を行ない、その登録情報を、人生マップデータとして同一患者別に病院、科および日時のうちの少なくとも１つとともに記録することを特徴とする電子カルテサーバ。
【請求項４】
ネットワークを介して接続されている患者履歴を掲載する電子カルテサーバと、そのデータを利用するクライアントと、を用いた電子カルテ表示方法であって、
前記クライアントが、人生マップ画面の表示において、その表示を選択するステップと、
電子カルテ画面において詳細表示を行なうステップと、を有することを特徴とする電子カルテ表示方法。
【請求項５】
前記電子カルテサーバが、複数のクライアントからの患者履歴情報の登録を行なうステップと、
その登録情報を、人生マップデータとして同一患者別に病院、科および日時のうちの少なくとも１つとともに記録するステップと、をさらに有することを特徴とする請求項４記載の電子カルテ表示方法。
【請求項６】
ネットワークを介して電子カルテサーバと接続されているクライアントに、人生マップ画面の表示において、その表示を選択するステップと、
電子カルテ画面において詳細表示を行なうステップと、を実行させることを特徴とするプログラム。
【請求項７】
前記電子カルテサーバに、複数のクライアントからの患者履歴情報の登録を行なうステップと、
その登録情報を、人生マップデータとして同一患者別に病院、科および日時のうちの少なくとも１つとともに記録するステップと、をさらに実行させることを特徴とする請求項６記載のプログラム。
【発明の詳細な説明】
【技術分野】
【０００１】
本発明は、患者の来院履歴、入院履歴、結果履歴等の表示を行なう電子カルテシステム、電子カルテサーバ、電子カルテ表示方法およびプログラムに関する。
【背景技術】
【０００２】
従来の電子カルテシステムは、単一の病院に対するシステム構成が基本であり、複数の病院に対する構成を成したシステムが存在しなかった。
【０００３】
そのため、他病院の情報に関しては、電子カルテシステムとは別に、病院間連携システムや、ＩＣカード等の利用による情報連携が行なわれていた。
【０００４】
ここで、観察試料に対し対物レンズを介して照明光束を照射し、観察試料からの反射光を水平または斜め上方の光路に偏向するとともに、これら光路の光束をさらに観察光路と撮影光路に分岐するようにした鏡体と、撮影光路上に配置される写真撮影装置とが別体である倒立型顕微鏡であって、観察光路上の観察試料と共役な平面内に挿脱可能に設けらる所定パターンを有するフレームレチクルを、鏡体に対して着脱可能な顕微鏡写真フレームユニットに設けることで、写真撮影に関して観察者の必要に応じた顕微鏡をコストの無駄なく提供できるとともに、写真撮影を行なう観察者に対しては意図した撮影範囲を確実に撮影することができる技術が提案されている（例えば、特許文献１参照）。
【特許文献１】特開２００２−３２８３１０号公報
【発明の開示】
【発明が解決しようとする課題】
【０００５】
しかしながら、上述した従来例においては次のような問題点があった。
【０００６】
操作者は、複数のシステムを操作し、煩雑な手続きによって、患者の履歴情報を把握する必要があった。
【０００７】
また、病院間連携システムや、ＩＣカードの利用による情報連携では、電子カルテデータとの関連性は、操作者が自ら判断を行なう必要があった。
【０００８】
そこで、本発明は、患者の診療歴を容易に把握することができる電子カルテシステム、電子カルテサーバ、電子カルテ表示方法およびプログラムを提供することを目的とする。
【課題を解決するための手段】
【０００９】
請求項１記載の発明は、ネットワークを介して接続されている患者履歴を掲載する電子カルテサーバと、そのデータを利用するクライアントと、を含む電子カルテシステムであって、クライアントは、人生マップ画面の表示において、その表示を選択することにより電子カルテ画面において詳細表示がなされることを特徴とする電子カルテシステムである。
【００１０】
請求項２記載の発明は、請求項１記載の電子カルテシステムにおいて、電子カルテサーバは、複数のクライアントからの患者履歴情報の登録を行ない、その登録情報を、人生マップデータとして同一患者別に病院、科および日時のうちの少なくとも１つとともに記録することを特徴とする。
【００１１】
請求項３記載の発明は、複数のクライアントからの患者履歴情報の登録を行ない、その登録情報を、人生マップデータとして同一患者別に病院、科および日時のうちの少なくとも１つとともに記録することを特徴とする電子カルテサーバである。
【００１２】
請求項４記載の発明は、ネットワークを介して接続されている患者履歴を掲載する電子カルテサーバと、そのデータを利用するクライアントと、を用いた電子カルテ表示方法であって、クライアントが、人生マップ画面の表示において、その表示を選択するステップと、電子カルテ画面において詳細表示を行なうステップとを有することを特徴とする電子カルテ表示方法である。
【００１３】
請求項５記載の発明は、請求項４記載の電子カルテ表示方法において、電子カルテサーバが、複数のクライアントからの患者履歴情報の登録を行なうステップと、その登録情報を、人生マップデータとして同一患者別に病院、科および日時のうちの少なくとも１つとともに記録するステップとをさらに有することを特徴とする。
【００１４】
請求項６記載の発明は、ネットワークを介して電子カルテサーバと接続されているクライアントに、人生マップ画面の表示において、その表示を選択するステップと、電子カルテ画面において詳細表示を行なうステップとを実行させることを特徴とするプログラムである。
【００１５】
請求項７記載の発明は、電子カルテサーバに、複数のクライアントからの患者履歴情報の登録を行なうステップと、請求項６記載のプログラムにおいて、その登録情報を、人生マップデータとして同一患者別に病院、科および日時のうちの少なくとも１つとともに記録するステップとをさらに実行させることを特徴とする。
【発明の効果】
【００１６】
本発明の電子カルテシステム、電子カルテサーバ、電子カルテ表示方法およびプログラムによれば、患者の診療歴を容易に把握することができる。
【発明を実施するための最良の形態】
【００１７】
次に、本発明の一実施の形態について図を参照して詳細に説明する。
【００１８】
図１を参照すると、本実施の形態における電子カルテシステムは、電子カルテサーバ１００と、検査システム１１０と、インターネット１２０と、ＷＥＢクライアント１３０とから構成されている。インターネット１２０は、例示であり、ネットワークは、任意のネットワークであってよく、例えば、光ファイバ、公衆回線、ＬＡＮ（Local Area Network）、ＡＤＳＬ（Asymmetric Digital Subscriber Line）等であってもよい。なお、通信方法は、有線であっても、無線であってもよい。
【００１９】
電子カルテサーバ１００は、患者のすべての診察記録である電子カルテデータ１０１と、患者の診察履歴と入院履歴と結果履歴とを保存する人生マップデータ１０２と、検査システムへ検査依頼データの送信を行ない、また、検査システムからの検査結果を受信しデータ登録を行なう検査伝送部１０３と、クライアントからの要求によりその選択患者のデータを送信し、また、クライアントからの登録要求データを登録するためのカルテ伝送部１０４から構成されている。
【００２０】
検査システム１１０は、電子カルテサーバ１００からの検査依頼情報を受信し、また、検査結果を電子カルテサーバ１００の検査伝送部１０３に結果データを送信するための検査伝送部１１１を含んでいる。
【００２１】
ＷＥＢクライアント１３０は、電子カルテサーバ１００のカルテ伝送部からのカルテデータを受信し、また、クライアントからの登録要求データをサーバに送信するためのカルテ伝送部１３３と、カルテデータを表示するための電子カルテ画面１３１と患者の診察履歴と、入院履歴と、結果履歴を表示する人生マップ画面１３２から構成されている。
【００２２】
電子カルテサーバ１００は、インターネット１２０を通じて複数の病院と接続されており、電子カルテデータ１０１と、人生マップデータ１０２の中には、複数病院からの登録データの一元管理がされている。
【００２３】
ＷＥＢクライアント１３０では、カルテを開けるための患者選択を行なうと、そのカルテ詳細データが電子カルテ画面１３１に表示され、複数の病院に跨る同一患者の診察履歴と入院履歴と結果履歴をグラフィカルに表示する。人生マップ画面１３２の表示部分を選択することによって、その詳細内容が電子カルテ画面１３１に表示され、自病院での自科と他科、および他病院の診察歴と、入院履歴と、検査履歴のデータを参照することができる。
【００２４】
次に、図１および図２のフローチャートを参照して本実施形態における人生マップデータの登録部分の処理動作を詳細に説明する。
【００２５】
まず、ＷＥＢクライアント１３０は、電子カルテ画面１３１から、診察記事の入力（ステップ２０１）、検査依頼の入力（ステップ２０２）および入退院指示の入力（ステップ２０３）を受け付ける。
【００２６】
それらの入力内容の登録が行なわれると、ＷＥＢクライアント１３０は、カルテ伝送部１３３により電子カルテサーバ１００に登録要求を発行する（ステップ２０４）。
【００２７】
登録要求データは、ＷＥＢクライアント１３０のカルテ伝送部１３３により、インターネット１２０を経由して電子カルテサーバ１００のカルテ伝送部１０４に送られ、受信される。
【００２８】
電子カルテサーバ１００のカルテ伝送部１０４は、登録要求データを電子カルテデータ１０１に登録し（ステップ２１１）、診察記事の入力データに基づいて診察の日時と、診療病院、診療科、入退院指示の入力データに基づいて入退院病院、入退院日時、入院科を人生マップデータ１０２に登録する（ステップ２１２）。
【００２９】
この動作は、複数の病院に設置されたＷＥＢクライアント１３０で同様に処理が行なわれる。
【００３０】
ＷＥＢクライアント１３０から入力された検査依頼は、電子カルテサーバ１００の検査伝送部１０３によって、検査システム１１０に伝送される（ステップ２１３）。
【００３１】
検査システム１１０では、検査伝送部１１１によって、その依頼内容を受信し、依頼に基づいた検査が実施される。
【００３２】
検査の実施完了後、結果情報が、再び、検査伝送部１１１を利用して、電子カルテサーバ１００の検査伝送部１０３に伝送される（ステップ２２１）。
【００３３】
検査伝送部１０３では、結果情報を電子カルテデータ１０１に登録するとともに（ステップ２３１）、人生マップデータ１０２に結果情報の依頼病院、日時、依頼科を登録する（ステップ２３２）。
【００３４】
これらの動作のもとに、人生マップデータ１０２には、複数病院の診察履歴、入退院履歴、検査結果履歴が患者単位に、病院別、科別分類をされたデータとして蓄積される。
【００３５】
次に、図１および図３のフローチャートを参照して、本実施の形態における人生マップデータの参照部分の処理動作について詳細に説明する。
【００３６】
ＷＥＢクライアント１３０の電子カルテ１３１によって、患者選択を行なうと、カルテ伝送部１３３によって、患者データ検索要求を発生させる。
【００３７】
この要求がインターネット１２０を利用して、電子カルテサーバ１００のカルテ伝送部１０４に受信される（ステップ３０１）。
【００３８】
受信したカルテ伝送部１０４は、その要求に基づいて電子カルテデータ１０１より選択患者のカルテ情報を検索し、カルテ伝送部１０４、インターネット１２０、カルテ伝送部１３３を経由して電子カルテ画面１３１に返信する（ステップ３１１）。
【００３９】
その後、人生マップデータ１０２より選択患者の診察歴と、入退院歴と、結果歴を検索し、カルテ伝送部１０４、インターネット１２０、カルテ伝送部１３３を経由し、人生マップ画面１３２に返信する（ステップ３１２）。
【００４０】
次に、図１に示すＷＥＢクライアント１３０の人生マップ画面１３２の詳細について説明する。
【００４１】
図４は、図１における人生マップ画面１３２の表示例を示すものである。
【００４２】
入院履歴表示４０１と、検査履歴なし表示４０２と、検査履歴有り表示４０３と、診察履歴４０４の表示で構成されている。
【００４３】
画面の上部から下部へ、時系列で表示を行なう。これらの表示については、自病院自科、自病院他科および他病院の３つのデータに対して色分け表示を行なう。
【００４４】
また、検査履歴については、４０２の状態と４０３の状態があり、操作者が確認していない結果に対しては点滅表示を行なう。
【００４５】
これらの表示は、画面操作により、詳細データ表示を行なうことができる。具体的には、入院履歴表示４０１を選択すると、その入院期間のカルテデータが図１に示す電子カルテ画面１３１に表示する。結果履歴有り表示４０３を選択すると、その結果を図１に示す電子カルテ画面１３１に表示する。診察履歴表示４０４を選択すると、その診察記録を図１に示す電子カルテ画面１３１に表示する。
【００４６】
上記の実施の形態によれば、電子カルテサーバ１００にある人生マップデータ１０２をＷＥＢクライアント１３０の人生マップ画面１３２で表示を行ない、そのサマライズされた情報より、患者の生涯の情報の概要を簡易に把握することができる。
【００４７】
また、その表示された情報を選択することにより、電子カルテサーバ１００を共同利用している、複数の病院のデータを容易に参照することができる。
【００４８】
さらに、患者の診療歴を把握の容易化が図られる。その理由は、電子カルテによって患者選択を行なうことによって、患者の履歴をあらわす人生マップ画面を表示させることができ、その中に、他病院を含めた、入退院履歴、検査結果履歴、診察履歴が時系列イメージで統合表現されることによって、患者の生涯情報全体を見落とすことがなく把握することができるからである。
【００４９】
また、多種多様に存在する検査結果の表示が容易である。その理由は、人生マップ画面の検査履歴には、画像検査、検体検査、生理検査等の結果有り情報がすべて同じ表現にて表示されているため、検査の種類によって、操作者が操作を変える必要がなく、そのため、人生マップの簡単な操作のみによって、その結果詳細を表示することができるからである。
【００５０】
また、他病院の情報が、自病院の情報と同じ操作方法によって簡易に表示できる。その理由は、電子カルテサーバによって、データが一元化されており、その索引情報として人生マップが作成されており、それにより、人生マップ画面では、他病院での履歴が自病院の履歴と同様の表現が可能になり、簡易な操作によって、その詳細が表示でき、従来のように、紹介状等の紙ベースのデータ参照を行う手間を省くことができるからである。
【００５１】
なお、上述する各実施の形態は、本発明の好適な実施の形態であり、本発明の要旨を逸脱しない範囲内において種々変更実施が可能である。例えば、上記の実施の形態における電子カルテサーバ１００、検査システム１１０およびＷＥＢクライアント１３０の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００５２】
上述する各実施の形態は、電子カルテサーバ１００、検査システム１１０およびＷＥＢクライアント１３０が別個に接続されているシステム構成について説明したが、各機能が１つのコンピュータシステムとして実現されている構成や機能毎に複数のサーバ装置等が追加された構成にも適用可能であることはもちろんである。
【００５３】
また、インターネット等の広域ネットワークを利用して、電子カルテサーバを共有することにより、病院間での患者履歴の共有を行なうことが可能である。また、自病院内での閉じた利用であっても、複数の診療科間の簡便な情報共有手段として利用することが可能である。
【図面の簡単な説明】
【００５４】
【図１】本発明の実施形態における電子カルテシステムの概略構成図である。
【図２】本発明の実施形態における人生マップデータの登録部分の処理動作を示すフローチャートである。
【図３】本発明の実施形態における人生マップデータの参照部分の処理動作を示すフローチャートである。
【図４】人生マップ画面の表示例を示す図である。
【符号の説明】
【００５５】
１００    電子カルテサーバ
１０１    電子カルテデータ
１０２    人生マップデータ
１０３    検査伝送部
１０４    カルテ伝送部
１１０    検査システム
１１１    検査伝送部
１２０    インターネット
１３０    ＷＥＢクライアント
１３１    電子カルテ画面
１３２    人生マップ画面
１３３    カルテ伝送部
【図１】
2006251901.tif 000003
【図２】
2006251901.tif 000004
【図３】
2006251901.tif 000005
【図４】
2006251901.tif 000006